(57)【要約】【課題】  本発明の課題は、吸気室内に設けられたエアクリーナ等のメンテナンス作業を容易に行うことができるコンバインを具現することにある。【解決手段】  本発明は、吸気ボックス（６）の外側に、エンジン（Ｅ）に供給する空気を濾過するプレクリーナ（１０）を備え、前記吸気ボックス（６）の内部に、前記プレクリーナ（１０）を通過した空気を更に濾過するエアクリーナ（９）を備え、エアクリーナ（９）とプレクリーナ（１０）を連通する吸気ホース（１１）を貫通させた吸気カバー（７）を前記吸気ボックス（６）に備え、該吸気カバー（７）は、吸気ホース（１１）が貫通する第１カバー部（７Ｓ）と、この第１カバー部（７Ｓ）よりも大きい面積を有する第２カバー部（７Ｌ）とに分割すると共に、第１カバー部（７Ｓ）が吸気ボックス（６）に装着された状態で、第２カバー部（７Ｌ）を着脱できる構成としている。【選択図】      図３
2016096796.tif 000002
【特許請求の範囲】
【請求項１】
吸気ボックス（６）の外側に、エンジン（Ｅ）に供給する空気を濾過するプレクリーナ（１０）を備え、前記吸気ボックス（６）の内部に、前記プレクリーナ（１０）を通過した空気を更に濾過するエアクリーナ（９）を備え、エアクリーナ（９）とプレクリーナ（１０）を連通する吸気ホース（１１）を貫通させた吸気カバー（７）を前記吸気ボックス（６）に備え、該吸気カバー（７）は、吸気ホース（１１）が貫通する第１カバー部（７Ｓ）と、この第１カバー部（７Ｓ）よりも大きい面積を有する第２カバー部（７Ｌ）とに分割すると共に、第１カバー部（７Ｓ）が吸気ボックス（６）に装着された状態で、第２カバー部（７Ｌ）を着脱できる構成としてあることを特徴とするコンバイン。
【請求項２】
前記吸気カバー（７）は、吸気ホース（１１）が貫通する部分を境界として前記第１カバー部（７Ｓ）と第２カバー部（７Ｌ）とに分割してある請求項１記載のコンバイン。
【請求項３】
前記エアクリーナ（９）と、電装部品（１２）を、前記第２カバー部（７Ｌ）に臨ませて吸気ボックス（６）内に配置してある請求項１又は請求項２記載のコンバイン。
【発明の詳細な説明】
【技術分野】
【０００１】
この発明は、コンバインに関する。
【背景技術】
【０００２】
従来、吸気室を構成する吸気カバー後面は、一体化された構成になっているため、吸気カバー後面に開口した穴にエアクリーナとプレクリーナを連通する吸気ホースが貫通しているため、カバーを取り外す際は、吸気ホースも一緒に取り外す必要があった。
【先行技術文献】
【特許文献】
【０００３】
【特許文献１】特開２０１４−８８３９号公報
【発明の概要】
【発明が解決しようとする課題】
【０００４】
本発明の課題は、吸気室内に設けられたエアクリーナ等のメンテナンス作業を容易に行うことができるコンバインを具現することにある。
【課題を解決するための手段】
【０００５】
この発明は、上記課題を解決すべく次のような技術的手段を講じた。
すなわち、請求項１記載の発明は、吸気ボックス（６）の外側に、エンジン（Ｅ）に供給する空気を濾過するプレクリーナ（１０）を備え、前記吸気ボックス（６）の内部に、前記プレクリーナ（１０）を通過した空気を更に濾過するエアクリーナ（９）を備え、エアクリーナ（９）とプレクリーナ（１０）を連通する吸気ホース（１１）を貫通させた吸気カバー（７）を前記吸気ボックス（６）に備え、該吸気カバー（７）は、吸気ホース（１１）が貫通する第１カバー部（７Ｓ）と、この第１カバー部（７Ｓ）よりも大きい面積を有する第２カバー部（７Ｌ）とに分割すると共に、第１カバー部（７Ｓ）が吸気ボックス（６）に装着された状態で、第２カバー部（７Ｌ）を着脱できる構成としてあることを特徴とするコンバインである。
【０００６】
請求項２記載の発明は、前記吸気カバー（７）は、吸気ホース（１１）が貫通する部分を境界として前記第１カバー部（７Ｓ）と第２カバー部（７Ｌ）とに分割してある請求項１記載のコンバインである。
【０００７】
請求項３記載の発明は、前記エアクリーナ（９）と、電装部品（１２）を、前記第２カバー部（７Ｌ）に臨ませて吸気ボックス（６）内に配置してある請求項１又は請求項２記載のコンバインである。
【発明の効果】
【０００８】
請求項１記載の発明によれば、吸気ホース（１１）が貫通する部分の第１カバー部（７Ｓ）は取り外すことなく、この第１カバー部（７Ｓ）よりも大きい面積を有する第２カバー部（７Ｌ）の取り外しが容易に行える。
【０００９】
また、吸気カバー（７）の大半部分が開放されるため、吸気ボックス（６）内の収納部品のメンテナンスを容易に行うことができる。
請求項２記載の発明によれば、請求項１記載の発明による効果に加えて、吸気カバー（７）は、吸気ホース（１１）が貫通する部分を境界として前記第１カバー部（７Ｓ）と第２カバー部（７Ｌ）とに分割してあるので、吸気ホース（１１）自体の着脱を要する場合には、第２カバー部（７Ｌ）を取り外せば貫通穴（８）の一部が開放され、この開放された部分から吸気ホース（１１）を取り外すことができる。
【００１０】
請求項３記載の発明によれば、請求項１又は請求項２発明による記載の効果に加えて、第２カバー部（７Ｌ）を取り外せば、電装部品（１２）やエアクリーナ（９）のメンテナンスを容易に行うことができる。
【図面の簡単な説明】
【００１１】
【図１】コンバインの要部の側面図
【図２】同上要部の背面図
【図３】同上要部の大面積カバーを取り外した場合の背面図
【図４】別実施例のコンバインの要部の背面図
【図５】同上要部の大面積カバーを取り外した場合の背面図
【図６】グレンタンクの要部の背面図
【図７】同上要部の側面図
【図８】同上要部の平面図
【発明を実施するための形態】
【００１２】
この発明の実施例を図面に基づき説明する。
図１は、コンバイン要部の側面図を示すものであり、走行車体１の後部に脱穀装置（脱穀部）を前方部に刈取部を備えたコンバインにおいて，刈取部の横側部にはフロント操作ボックス２や運転席３等からなる運転操作部を備え、更に、その運転操作部の後方には脱穀粒を貯留する穀粒タンク４を装備している。
【００１３】
運転席３下方部に構成されたエンジンルーム５内にはエンジンＥが搭載されている。エンジンルーム５の上方で運転席３の背部には、エアクリーナ９やコントローラ等の電装部品を内装する吸気ボックス６が設置されている。
【００１４】
背面視でエアクリーナ９から左側上部に配置されたプレクリーナ１０間の吸気ホース１１が吸気ボックス６後面の吸気カバー７を貫通する構成において、前記吸気カバー７は、図２に示すように、吸気ホース１１が貫通する左上の小面積カバー（第１カバー部）７Ｓとそれよりも広範囲の面積を有する右下の大面積カバー（第２カバー部）７Ｌとに分割され、この大面積カバー７Ｌが図３に示すように単独で着脱できるように構成されている。
【００１５】
また、吸気カバー７は、図４に示す実施例では、吸気ホース１１が貫通する貫通穴８部分の中心を境界として分割されるようになっている。これによると、図５に示すように、大面積カバー７Ｌを取り外せば、貫通穴８が半欠穴状態となり、吸気ホース１１自体の取り外しも容易に行える。
【００１６】
前記吸気ボックス６内で吸気カバーの大面積カバー７Ｌに対応する部位には、エアクリーナ９以外にコントローラ等の電装部品１２が内装されている。
次に、上下及び左右旋回可能な排出オーガを備えたグレンタンク搭載のコンバインについて説明する。
【００１７】
すなわち、図６、図７及び図８に示す構成例について説明すると、グレンタンクＧの後部に立設する揚穀オーガ筒(排出オーガに連通)１５と脱穀装置１６との間に燃料タンク１７を配置し、燃料タンク１７後部側に燃料ゲージ１８を設けた構成としている。この配置構成によると燃料の残量確認が容易に行える。
【００１８】
グレンタンクがオープン可能な構成において、後部カバー１９を左カバー１９Ｌと右カバー１９Ｒとに２分割し、この分割部を揚穀オーガ筒１５と燃料タンク１７との間に設けることで、燃料タンクや揚穀オーガ部のメンテナンスが容易に行えるにしている。
【００１９】
燃料タンク１７の左右側には、後部カバー１９を固定する支持フレーム２０Ｌ，２０Ｒが設けられ、左右の支持フレーム２０Ｌ，２０Ｒの下端は走行フレーム２１に固着され、上端はタンクオープンフレーム２２に固着されて強度が保持されるようになっている。
【００２０】
後部右カバー１９Ｒの開閉支点部をグレンタンクＧ側にヒンジＲを介して回動自在に枢着して設け、後部右カバー１９Ｒの固定側は右側の支持フレーム２０Ｒ側に係脱可能なロック装置２４を介してロック解除自在に設けた構成としている。  後部左カバー１９Ｌの開閉支点部は、ヒンジ２３Ｌを介して右側支持フレーム２０Ｒ側に設け、後部左カバー１９Ｌの固定側ロック装置２４は、左側支持フレーム２０Ｌ側に設けた構成としている。
【００２１】
排出オーガの旋回角度制御は、揚穀オーガ筒１５に制御カム２５を設け、リミットスイッチ２６を介して制御する構成としている。前記リミットスイッチ２６は、図８に示すように、右側支持フレーム２０Ｒに横長穴２７及び縦長穴２８を有する調節プレート２９を介して連結支持させた構成になっており、リミットスイッチの調整が簡単に行えるようになっている。
【符号の説明】
【００２２】
Ｅ    エンジン
５    エンジンルーム
６    吸気ボックス
７    吸気カバー
７Ｓ  小面積カバー（第１カバー部）
７Ｌ  大面積カバー（第２カバー部）
８    貫通穴
９    エアクリーナ
１０  プレクリーナ
１１  吸気ホース
１２  電装部品
【図１】
2016096796.tif 000003
【図２】
2016096796.tif 000004
【図３】
2016096796.tif 000005
【図４】
2016096796.tif 000006
【図５】
2016096796.tif 000007
【図６】
2016096796.tif 000008
【図７】
2016096796.tif 000009
【図８】
2016096796.tif 000010